(57)【要約】【課題】不正行為による物理的な破壊を防止し、且つ強い衝撃力による破壊行為によって内部が剥き出しになることを防止することで防犯性能が向上するシリンダ錠を提供する。【解決手段】略円筒形状を具備し、且つ前面部分に設けられた鍵穴３５に鍵が挿脱されるシリンダ３０と、略筒形状を具備し、且つ筒内部にシリンダ３０が配設されるハウジング２０とを備えたシリンダ錠１０に対して、略円形形状を備えた前板部５２の円周部分に周壁部５１を具備し、且つシリンダ３０の前面部分３６とハウジング２０の前端部とに被せられて、前端部の外周面に周壁部５１の開口端部５３が回動自在に支持される保護キャップ５０と、鍵が抜き差しされる挿通孔４１を具備し、保護キャップ５０とシリンダ３０の前面部分３６との間に挟持され、且つ硬化処理が施された保護部材４０とを取付ける。【選択図】　　　図１
2004092230.tif 000002
【特許請求の範囲】
【請求項１】
略円筒形状を具備し、且つ前面部分に設けられた鍵穴に鍵が挿脱されるシリンダと、略筒形状を具備し、且つ筒内部に該シリンダが配設されるハウジングとを備えたシリンダ錠において、
略円形形状を備えた前板部の円周部分に周壁部を具備し、且つ前記シリンダの前記前面部分と前記ハウジングの前端部とに被せられて、この前端部の外周面に該周壁部の開口端部が回動自在に支持される保護キャップと、
前記鍵が抜き差しされる挿通孔を具備し、該保護キャップと前記シリンダの前面部分との間に挟持され、且つ硬化処理が施された保護部材とを備えたことを特徴とするシリンダ錠。
【請求項２】
請求項１に記載のシリンダ錠において、
略筒形状を具備し、内部に支持孔が形成された台座を備え、
該支持孔に前記周壁部が隙間なく挿入されることを特徴とするシリンダ錠。
【請求項３】
請求項１、または請求項２に記載のシリンダ錠において、
前記シリンダの前記前面部分が隙間なく挿入される外周壁と、
前記挿通孔を形成する挿通壁とを前記保護部材に設け、
該外周壁を該前面部分の外周部に固定し、且つ該挿通壁を該前面部分の鍵穴周辺部に固定したことを特徴とするシリンダ錠。
【発明の詳細な説明】
【０００１】
【発明の属する技術分野】
本発明は、鍵穴に鍵を挿脱することで内部の係合・解除が行われるシリンダ錠に関する。
【０００２】
【従来の技術】
従来より、この種のシリンダ錠は、携帯可能な鍵によって施錠・解錠が簡便に行えることから住戸の扉、自動販売機、ロッカーなど多方面で幅広く使用されている。ところが、近年では、穿孔破壊、引き抜き破壊などの不正行為によりシリンダ錠を物理的に破壊して解錠する例が多数報告されている。
【０００３】
そこで、このような不正行為による物理的な破壊を防止し得るシリンダ錠として、図６に示される特開平９−２９６６３６号公報に開示されたものがある。このディスク錠１は、錠機構４を内蔵した筒状ケース２の前面開口の内側へ、鍵孔５を有する前面板３が回動自由に嵌め込まれ、且つ筒状ケース２の前面の開口端面を塞ぐようにして、前面板３上に保護キャップ６が装着され、さらにその外周面に防護リング７が回動自由に配備される。前記保護キャップ６は、焼入れ処理を施して高強度に形成されている。
【０００４】
【発明が解決しようとする課題】
しかしながら、上記従来のディスク錠１では、保護キャップ６が焼き入れ処理が施されているために、保護キャップ６に強い衝撃力が加わえて、保護キャップ６を破損させ、錠機構４を剥き出しにしてから不正行為が行われる可能性があった。
【０００５】
そこで本発明は、不正行為による物理的な破壊を防止し、且つ強い衝撃力による破壊行為によって内部が剥き出しになることを防止することで防犯性能が向上するシリンダ錠を提供することを目的とする。
【０００６】
【課題を解決するための手段】
請求項１に記載の発明は、略円筒形状を具備し、且つ前面部分に設けられた鍵穴に鍵が挿脱されるシリンダと、略筒形状を具備し、且つ筒内部に該シリンダが配設されるハウジングとを備えたシリンダ錠において、略円形形状を備えた前板部の円周部分に周壁部を具備し、且つ前記シリンダの前記前面部分と前記ハウジングの前端部とに被せられて、この前端部の外周面に該周壁部の開口端部が回動自在に支持される保護キャップと、前記鍵が抜き差しされる挿通孔を具備し、該保護キャップと前記シリンダの前面部分との間に挟持され、且つ硬化処理が施された保護部材とを備えたことを特徴とする。
【０００７】
請求項２に記載の発明は、請求項１に記載のシリンダ錠において、略筒形状を具備し、内部に支持孔が形成された台座を備え、該支持孔に前記周壁部が隙間なく挿入されることを特徴とする。
【０００８】
請求項３に記載の発明は、請求項１、または請求項２に記載のシリンダ錠において、前記シリンダの前記前面部分が隙間なく挿入される外周壁と、前記挿通孔を形成する挿通壁とを前記保護部材に設け、該外周壁を該前面部分の外周部に固定し、且つ該挿通壁を該前面部分の鍵穴周辺部に固定したことを特徴とする。
【０００９】
【発明の実施の形態】
本発明の実施形態としてのシリンダ錠１０について、図面を参照して詳細に説明する。図１はシリンダ錠１０が扉９０に取付けられた状態を側面側から示した要部断面図、図２はシリンダ錠１０の正面図、図３はシリンダ３０の側方断面図、図４はプラグ３１を図２に示されるＡ−Ａ線に沿った面が断面となるように側面から見た側方要部断面図、図５はプラグ３１の正面要部断面図である。
【００１０】
本実施形態のシリンダ錠１０は、図１、図２に示されるように、略筒形状を備えたハウジング２０の前端部内周面に第１係止突部２１が設けられ、円形のカバー孔２４が形成されている。ハウジング２０の前端部外周面に第２係止突部２２が設けられている。また、ハウジング２０の前端部外周面にクリップ溝２３が設けられ、ハウジング２０に外周面から内周面に通じる固定孔２５が設けられている。
【００１１】
ハウジング２０の内部には、略円筒形状を備えたシリンダ３０が設けられている。シリンダ３０は、プラグ３１とシリンダケース３２とを具備し、鍵が抜き差しされる鍵穴３５を具備するプラグ３１は略円筒形状を備えたシリンダケース３２の内部に支持されている。また、シリンダケース３２の外周には固定穴３３が設けられている。
【００１２】
シリンダ３０は、シリンダケース３２の前縁２６が第１係止突部２１に突き当てられるようにハウジング２０に挿入され、ハウジング２０の固定孔２５とシリンダケース３２の固定穴３３とがシリンダ固定ネジ７０によって締結されている。
【００１３】
また、図３〜図５に示されるように、シリンダ３０の前面部分として、プラグ３１に設けられた略矩形断面を具備する略円筒状の突部３６が突設されているとともに、突部３６の中心の穴の部分に鍵穴３５が形成されている。さらに、突部３６には中心の穴から外周に向かって等角度に４本のピン固定孔３７が設けられ、これらピン固定孔３７には円筒形に丸められた板材からなるスプリングピン７２が挿入されている。
【００１４】
突部３６には、保護部材としてのプラグカバー４０が被嵌されている。このプラグカバー４０には、円盤状の基部４２に突部３６の外周部が隙間なく挿入される外周壁４３と、鍵穴３５に連通し、且つ鍵が抜き差しされる挿通孔４１を形成する挿通壁４４とが設けられているとともに、プラグカバー４０の前面には、略円柱形状の段付き部４５が形成されている。この段付き部４５は、基部４２の中心軸と同軸上に形成されている。
【００１５】
また、外周壁４３と挿通壁４４には、半径方向、且つ等角度に延びる４本の延長線上にそれぞれ４つの外周壁固定孔４６と４つの挿通壁固定穴４７が設けられている。さらに、本実施形態のプラグカバー４０には、クロム・モリブデン鋼が使用されるとともに、機械的強度を向上させるために焼き入れなどの硬化処理が施されている。
【００１６】
スプリングピン７２は、他端側先端部７２ｂから外周壁固定孔４６に挿入され、ピン固定孔３７を通じて、挿通壁固定穴４７に突き当てられている。この状態で、他端側先端部７２ｂが挿通壁固定孔４７と係合し、一端側先端部７２ａが外周壁固定孔４６と係合しているので、プラグカバー４０は突部外周面３６ａと突部内周面３６ｂに固定されている。
【００１７】
クリップ溝２３には、略Ｃ字形状を備えたクリップ７１が回動自在に嵌め込まれている。
【００１８】
保護キャップ５０は、周壁部５１と前板部５２からなり、周壁部５１には開口端部５３が設けられ、前板部５２には、段付き部４５が挿入される円形の段付き孔５４が設けられている。
【００１９】
保護キャップ５０の開口端部５３の内面には斜面が形成されており、この斜面に沿って外周縁が当接しながらクリップ７１が撓み変形し、保護キャップ５０の内面に設けられた受け溝５５で復元することにより、保護キャップ５０とクリップ７１が係合する。これにより、クリップ７１とハウジング２０が係合するので保護キャップ５０がハウジング２０から抜けなくなるとともに、ハウジング２０の前端部は円筒形状を備えているため、保護キャップ５０は円周方向に回動自在に支持されている。
【００２０】
台座としてのローズ６０は、後端６１よりも前端６２が細く形成された先細の略筒形状を具備し、且つローズ６０内部には、挿入される保護キャップ５０との間に隙間なく形成された支持孔６４が設けられている。また、支持孔６４には、ハウジング２０の前端部外周面に設けられた第２係止突部２２と係合する係止突部６３が設けられている。そこで、ローズ６０は、ハウジング２０の第２係止突部２２と係合した状態では、ハウジング２０の前端部に支持された保護キャップ５０の開口端部５３を外部から覆い隠している。
【００２１】
＜取り付け方＞
プラグカバー４０をシリンダ３０の前面部分としてのプラグ３１の突部３６に固定する。ここでまず、鍵穴３５前端と挿通孔４１後端が一致していることを確認してから突部３６にプラグカバー４０を被せる。次に、スプリングピン７２の他端側先端部７２ｂを外周面固定孔４６に挿入する。そしてさらに、他端側先端部７２ｂが固定孔３７を通過して、挿通壁固定孔４７に突き当たるまでスプリングピン７２を挿入する。この状態で、他端側先端部７２ｂが挿通壁固定孔４７と係合し、一端側先端部７２ａが外周壁固定孔４６と係合することで、プラグカバー４０は突部外周面３６ａと突部内周面３６ｂに固定される。
【００２２】
次に、ハウジング２０の後端側にシリンダ３０を前面側から挿入する。このとき、シリンダケース３２の前縁２６をハウジング２０の第１係止突部２１に突き当てつつ、シリンダケース３２の固定穴３３とハウジング２０の固定孔２５が一致するようにシリンダ３０をハウジング２０に挿入し、シリンダ固定ネジ７０でシリンダ３０をハウジング２０に固定する。
【００２３】
次に、ハウジング２０の前端部の外周に設けられたクリップ溝２３に略Ｃ字形のクリップ７１を嵌め入れ、保護キャップ５０をハウジング２０の前端部にかぶせる。ここで、クリップ７１が保護キャップ５０の周壁部５１内面に設けられた受け溝５５と係合し、保護キャップ５０を支持する。
【００２４】
また、上述のように組立てられたシリンダ錠１０が、面付け錠の錠装置として使用された場合には、図１に示されるように扉９０に設置される。
【００２５】
扉９０に面付け錠を取付けるには、まずローズ６０に設けられた支持孔６４にハウジング２０を後端側から挿入し、さらに、扉９０に面付け錠を設置するために扉９０の外面側９１に設けられた設置穴９３に、ハウジング２０を後端側から挿入する。
【００２６】
次に、扉９０の内面側９２から座板８０に設けられたネジ孔８１を通じてハウジングの後端側に設けられたネジ穴にネジ７３を螺合する。この際、扉の厚みに応じてネジ７３を締め、シリンダ錠１０を扉９０に固定する。
【００２７】
なお、扉９０が厚い場合には、ネジ７３とネジ穴との螺合量を調節することで、シリンダ錠１０が扉９０の外面側９１から突出する高さを調節することが可能なので、シリンダ錠１０を扉９０に取付けた際に、ローズ６０がガタつかず、且つ開口端部５３を覆い隠すことができる。また、扉９０が薄い場合には、扉９０の厚さに応じてシリンダ錠１０が扉９０の外面側９１から突出する高さが変化する。そこで、ローズ６０をシリンダ錠１０が突出する高さ方向に移動させ固定することで、ローズ６０がガタつかず、且つ開口端部５３を覆い隠すことができる。
【００２８】
座板８０の中央部にはリンク孔８２が設けられており、このリンク孔８２を通じて、座板８０に配設されるリンク機構（不図示）とスピンドル３４とが係合する。リンク機構にはかんぬき（不図示）が具備されており、鍵穴３５に鍵を挿入し、この鍵を回転させると、鍵と一緒にスピンドル３４が回転する。そして、スピンドル３４がリンク機構を動かして、かんぬきの抜き差しが行われる。
【００２９】
以上の構成により、シリンダ３０の突部３６に硬化処理が施された保護部材であるプラグカバー４０が設けられているので、不正行為によってシリンダ錠１０を物理的に破壊することが防止され、且つプラグカバー４０に保護キャップ５０が被せられていることにより、プラグカバー４０に強い衝撃力が加えられて破損した場合でも保護キャップ５０によって脱落が防止されシリンダ錠１０の内部が剥き出しになることがないので、不正行為によって破壊することができず、防犯性能が向上する。
【００３０】
また、ローズ６０と保護キャップ５０とが隙間なく形成されていることにより、ローズ６０によって保護キャップ５０の開口端部５３が覆い隠されるために、外部から保護キャップ５０を外すことができず、シリンダ錠１０の内部が剥き出しになることがないので、シリンダ錠１０を不正行為によって破壊することができず、防犯性能が向上する。
【００３１】
さらに、外周壁４３をシリンダ３０の前面部分の外周部である突部外周面３６ａに固定し、且つ挿通壁４４を突部３６の鍵穴３５周辺部である突部内周面３６ｂに固定したことと、プラグカバー４０に保護キャップ５０を被せて開口端部５３をハウジング２０に支持したことにより、プラグカバー４０が強力に固定され、不正外力によって保護部材を引き剥がすことができず、防犯性能が向上する。
【００３２】
さらに、ハウジング２０の前端部に保護キャップ５０が、回動自在に支持されているので、保護キャップ５０を工具で挟んで外そうとした場合に、保護キャップ５０が回転し、保護キャップ５０を外すことが困難になっている。
【００３３】
なお、本実施形態では、保護部材としてのプラグカバー４０全体を硬化処理することで機械的強度を向上させているが、保護部材の表面だけを硬化処理した場合には、機械的強度を向上させつつ、強い衝撃力にも耐えることができるようになるので、さらに不正行為に対する耐破壊性が向上するので防犯性能を向上することができる。
【００３４】
また、本実施形態では、プラグカバー４０に突部３６を固定する手段としてスプリングピン７２を使用したが、クリップ溝と受け溝および略Ｃ字形状を備えたクリップを用いた場合でも同様の効果を得ることができる。
【００３５】
【発明の効果】
請求項１に記載の本発明によれば、シリンダの前面部分に硬化処理が施された保護部材が設けられているので、不正行為によってシリンダ錠を物理的に破壊することが防止され、且つ保護キャップによって保護部材が覆われているので、強い衝撃力によって保護部材が破損した場合でも保護キャップによって脱落が防止されて、シリンダ錠の内部が剥き出しになることがないので、不正行為によって破壊することがでず、防犯性能が向上する。
【００３６】
請求項２に記載の本発明によれば、請求項１の発明の効果に加え、台座の支持孔によって保護キャップの開口端部が覆い隠されていることにより、外部から保護キャップを外すことができないので、シリンダ錠の内部が剥き出しになることがないので、不正行為によって破壊することがでず、防犯性能が向上する。
【００３７】
請求項３に記載の本発明によれば、請求項１、および請求項２の発明の効果に加え、外周壁をシリンダ前面部分の外周部に固定し、且つ挿通壁をシリンダ前面部分の鍵穴周辺部に固定したことにより、固定力が強化され、さらに、保護キャップが
不正外力によって保護部材を引き剥がすことができず、防犯性能が向上する。
【図面の簡単な説明】
【図１】本実施形態のシリンダ錠が扉に取付けられた状態を示す側方断面図である。
【図２】本実施形態のシリンダ錠の正面図である。
【図３】本実施形態のシリンダの側方要部断面図である。
【図４】図２に示されるＡ−Ａ線に沿ったプラグの側方要部断面図である。
【図５】プラグ３１の正面要部断面図である。
【図６】従来例を示す側方断面図である。
【符号の説明】
１０…シリンダ錠
２０…ハウジング
３０…シリンダ
３５…鍵穴
３６…突部（前面部分）
３６ａ…突部外周面（外周部）
３６ｂ…突部内周面（鍵穴周辺部）
４０…プラグカバー（保護部材）
４３…外周壁
４４…挿通壁
５０…保護キャップ
５１…周壁部
６０…ローズ（台座）
６４…支持孔
【図１】
2004092230.tif 000003
【図２】
2004092230.tif 000004
【図３】
2004092230.tif 000005
【図４】
2004092230.tif 000006
【図５】
2004092230.tif 000007
【図６】
2004092230.tif 000008